(57)【要約】【課題】左右に分割されたヒンジ構造によりカバーの開閉時に流動の無い安定したスライディング動作を確保し、ＦＰＣＢとの干渉を最小化し、携帯端末機をスリム化する。【解決手段】本発明は、左右幅が上下幅より広く形成され、前面板の下部に多数の入力キーからなるキーパッドが設けられた本体と、本体の前面板の上部に固定され、かつ、ＦＰＣＢが過ぎる中央部を回避して、その左右両側に各々備えられて固定され、上下方向に沿って形成されたガイドレールを備えた一対のガイドプレートと、本体に対して前側に位置するカバーと、カバーの後面板に固定された状態でガイドレールに上下方向スライディング可能に結合されて、ガイドレールと共にカバーを本体に対してスライディング可能に結合させるスライディング片とを含む。【選択図】  図７
2008154168.tif 000002
【特許請求の範囲】
【請求項１】
左右幅が上下幅より広く形成され、前面板の下部に多数の入力キーからなるキーパッドが設けられた本体と、
前記本体の前面板の上部に固定され、かつ、ＦＰＣＢが過ぎる中央部を回避して、その左右両側に各々備えられて固定され、上下方向に沿って形成されたガイドレールを備えた一対のガイドプレートと、
前記本体に対して前側に位置するカバーと、
前記カバーの後面板に固定された状態で前記ガイドレールに上下方向スライディング可能に結合されて、前記ガイドレールと共に前記カバーを前記本体に対してスライディング可能に結合させるスライディング片とを含むことを特徴とする分割されたヒンジ構造を有する単方向スライドオープンタイプ携帯端末機。
【請求項２】
前記ガイドレールは、ガイドプレートの左右両端部に各々備えられて、互いに対向する内側に上下方向のガイド溝を有し、
前記スライディング片は、前記ガイド溝にスライディング可能に挟まれることを特徴とする請求項１に記載の分割されたヒンジ構造を有する単方向スライドオープンタイプ携帯端末機。
【請求項３】
前記スライディング片は、前記カバーの後面板に一体で形成されたことを特徴とする請求項１に記載の分割されたヒンジ構造を有する単方向スライドオープンタイプ携帯端末機。
【請求項４】
前記カバーの後面板には前記ガイドレールが挿入された状態で上下方向移動可能に切り欠けられた切欠部が備えられ、
前記スライディング片は、前記切欠部の側端に沿って形成されたことを特徴とする請求項３に記載の分割されたヒンジ構造を有する単方向スライドオープンタイプ携帯端末機。
【請求項５】
前記切欠部は、前記ガイドレールが下側から挿入できるように前記カバーの後面板の下部の端部から形成され、前記切欠部の前側を横切って、その周辺部に両端部が結合されて切欠部による離隔を維持してくれる支持片が更に備えられることを特徴とする請求項４に記載の分割されたヒンジ構造を有する単方向スライドオープンタイプ携帯端末機。
【請求項６】
前記ガイドプレート及びカバーの後面板は金属材質であることを特徴とする請求項３に記載の分割されたヒンジ構造を有する単方向スライドオープンタイプ携帯端末機。
【請求項７】
前記本体の前面板は、中央の上部にＦＰＣＢが貫通するＦＰＣＢ用出口を備え、前記カバーの後面板は中央の下部にＦＰＣＢが貫通するＦＰＣＢ用入口を備え、かつ、前記ＦＰＣＢ用入口とＦＰＣＢ用出口とは、前記カバーが本体に対して完全に開いた状態で一部交差して連通されることを特徴とする請求項１に記載の分割されたヒンジ構造を有する単方向スライドオープンタイプ携帯端末機。
【請求項８】
前記本体の前面板には前記ガイドプレートが安着する安着溝が形成されることを特徴とする請求項１に記載の分割されたヒンジ構造を有する単方向スライドオープンタイプ携帯端末機。
【請求項９】
前記ガイドプレートとカバーの後面板との間に設けられて、前記カバーの開閉時、遷移点を過ぎない距離以内では前記カバーが閉じる方向に力を提供し、遷移点を過ぎた距離からは前記カバーが開く方向に力を提供する一対の弾性手段が更に備えられることを特徴とする請求項１に記載の分割されたヒンジ構造を有する単方向スライドオープンタイプ携帯端末機。
【請求項１０】
前記弾性手段は、前記ガイドプレート及びカバーの後面板に両端部が各々結合されたトーションスプリングであることを特徴とする請求項９に記載の分割されたヒンジ構造を有する単方向スライドオープンタイプ携帯端末機。
【発明の詳細な説明】
【技術分野】
【０００１】
本発明は、携帯端末機に関するものであり、特に、左右に分割されたヒンジ構造によりカバーの開閉時、流動のない安定したスライディング動作を確保し、ＦＰＣＢとの干渉は最小化する一方、厚みがより薄くなった製品のスリム化を具現するために適当に分割されたヒンジ構造を有する単方向スライドオープンタイプ携帯端末機に関するものである。
【背景技術】
【０００２】
一般に、通信端末機は有無線通信端末機に分けられて、有線通信端末機は事務用や家庭用デスクタイプ電話機が代表的であり、無線通信端末機はＰＣＳ、セルラーフォンまたはＰＤＡが代表的な例であり、携帯端末機と通称されている。
【０００３】
このような携帯端末機は、その技術の発達により単純な音声情報のみを伝達する段階を越えて、スクリーンを通じて、文字情報、画像情報、ゲーム等の多様な画像サービスを使用者に提供する知能型マルチ端末機に変化してきた。その一例が多数の入力キーが本体に長方向に広く広まった形態で設けられて、ＰＤＡなどの用途に本格的な文字入力に便利であるようにした単方向オープンタイプ携帯端末機である。
【０００４】
このような単方向オープンタイプ携帯端末機は、本体に対してカバーを単方向に開け閉めして開閉できるように構成される。従って、主にダイヤル用数字や簡単な文字メッセージを入力する用途に適合した別名３×４キーパッドだけでなく、文字配置構造により長方向に広い面積に設けられて本格的な文字入力に容易なキーパッドの設置に適している。従って、単方向オープンタイプ携帯端末機は、携帯電話は勿論、ＰＤＡに適合し、延いては、最近、脚光を浴びるＤＭＢ（Digital Multimedia Broadcasting）サービス及びポータブルマルチメディア機器（Personal Multimedia Player：ＰＭＰ）などの用途に広く使われる高い潜在性を有している。
【０００５】
図１は従来技術による単方向オープンタイプ携帯端末機を説明するための参照図であり、図２乃至図４は従来技術による携帯端末機のカバー開閉時のＦＰＣＢの状態を説明するための参照断面図である。
【０００６】
図示したように、従来技術による単方向オープンタイプ携帯端末機において、本体の前面板１０Ａとカバーの後面板２０Ａとの間に、カバーを上下方向（単方向）にスライド開閉可能に結合させるヒンジ構造を含む。
【０００７】
前記ヒンジ構造を見れば、本体の前面板１０Ａの上部には左右両端部にカバーが開閉される上下方向に形成されたレール３１を有する第１のプレート３０が設けられ、これに対応してカバーの後面板２０Ａには左右両端部に前記レール３１とスライディング可能に結合されるスライディング片４１を有する第２プレート４０が設けられる。そして、第１プレート３０と第２プレート４０との間を互いに連結しながらカバーが半自動開閉されるように弾性力を提供する一対のトーションスプリング５０が備えられる。
【０００８】
このような構成によれば、カバーが単方向の上下方向に開閉される際、その力によりスライディング片４１がレール３１でスライディングされながら第２プレート４０が第１プレート３０に対して移動することになる。この際、第１プレート３０と第２プレート４０に設けられたトーションスプリング５０が作用しながら、使用者がカバーを上方に押すと、カバーが本体に対して所定位置まで手動で移動されてから遷移点になる所定の位置を過ぎれば、トーションスプリング５０に蓄積された弾性復原力により自動でスライディングされながらカバーが自動で開くことになる。同様に、カバーが開かれた状態で使用者がカバーを下方に押す場合にも、所定位置を遷移点になる所定位置を過ぎることになれば、トーションスプリング５０の弾性復原力によりカバーが自動で閉じることになる。
【０００９】
このような従来の携帯端末機は、カバーが開けば表れる本体の前面の下部の全体を、キーパッドを設置するための領域として全て活用できるので、文字の入力の多いＰＤＡ用に有利であり、最近に脚光を浴びているＤＭＢ（Digital Multimedia Broadcasting）サービス及びポータブルマルチメディア機器（Personal Multimedia Player：ＰＭＰ）の用途及び知能型マルチ端末機を積極的に指向することに容易である。
【００１０】
しかしながら、従来の単方向オープンタイプ携帯端末機は、前記のような長所にもかかわらず、カバーの開閉時に震えや流動が発生して安定したスライディング動作がなされない構造的な問題点を有していた。
【００１１】
即ち、従来の携帯端末機において、カバーのスライディング開閉のために必須的に備えられる第２プレート４０の場合、カバーの開閉時、ＦＰＣＢが可能な限度内で、干渉されないように過ぎることができるようにするために、広い大きさの貫通孔４３を備えなければならない。しかしながら、第２プレート４０がこのように広い大きさの貫通孔４３を有することになれば、充分の剛性を確保し難くて、カバーの開閉時に震えや流動を引き起こす原因となる。これは、前記第２プレート４０の場合、製品のスリム化を阻害しないように薄く形成された一方、左右両側に掛かる程度に広い左右幅を有するためである。
【００１２】
勿論、第２プレート４０を厚くして剛性を高めれば、カバーの開閉時に発生できる震えや流動を抑制することはできるが、この場合、前述したように製品の厚みの増加の原因となり、最近のスリム化の傾向を逆行する致命的な結果をもたらすことになる。
【００１３】
また、第２プレート４０の厚みを維持し、かつ、左右幅を狭める方法も自体の剛性を高められる方法になることはできるが、この場合、外部から左右に偏差を置いて力が加えられる時に発生するモーメントに対して脆弱になる問題点があるので、捩れの発生や結合部位における損傷の虞が高く、結果的にはカバーの開閉時に震えや流動に繋がる。
【００１４】
更に、従来の携帯端末機は、カバーの開閉時に震えや流動が発生する問題に加えて、ＦＰＣＢが甚だしく折り曲げられて損傷する困難な問題点がある。これは、ＦＰＣＢとの干渉を最小化するために、第２プレート４０の貫通口を広める等の努力はあるが、根本的に、第１プレート３０が本体の前面板１０Ａの上部で左右片に沿って長く掛かった形態で設けられて、本体前面板１０Ａの中央部に形成されたＦＰＣＢ用出口１１が常に遮断されている構造的問題に起因する。これを説明すれば、下記の通りである。
【００１５】
即ち、図２を参照すれば、本体前面板１１のＦＰＣＢ用出口１１を常に遮っている第１プレート３０によりカバーが掛かる初期からＦＰＣＢが酷く折り曲げられている。以後、図３のように、カバーが中間程度開いた状態では図面から確認できるように本体の前面板１０ＡのＦＰＣＢ用出口１１とカバーの後面板２０ＡのＦＰＣＢ用入口２１が逆交差され始めて、ＦＰＣＢは酷く折り曲げられた状態が続く。そして、カバーが更に開けながらＦＰＣＢは第１プレート１０Ａと摩擦しながら不自然な動きを有する。以後、図４でのように、カバーが完全に開いた時には、本体前面板１０ＡのＦＰＣＢ用出口１１とカバー後面板２１のＦＰＣＢ用入口２１が完全に逆交差され、ＦＰＣＢも不自然な形態に酷く捩れて折り曲げられる。
【００１６】
このように、従来の単方向オープンタイプ携帯端末機は、構成要素間に絡まった複合的で、かつ、構造的な問題により、カバーの開閉時に震え及び流動が発生される等、安定したスライディング動作がなされない。そして、内部に設けられたＦＰＣＢは、不自然な動きを有して、酷く折り曲げられることを繰り返すので、長く持たなくて損傷する虞がある。
【発明の開示】
【発明が解決しようとする課題】
【００１７】
本発明は、前記のような従来の諸問題を解消するために提案したものであり、本発明の目的は、カバーの開閉時に震えや流動のない安定したスライディング動作をして、ＦＰＣＢの損傷が最小化できるようにＦＰＣＢに対する干渉を最小化した分割されたヒンジ構造を有する単方向スライドオープンタイプ携帯端末機を提供することにある。
【課題を解決するための手段】
【００１８】
前記のような目的を達成するために、本発明の技術的思想による分割されたヒンジ構造を有する単方向スライドオープンタイプ携帯端末機は、左右幅が上下幅より広く形成され、前面板の下部に多数の入力キーからなるキーパッドが設けられた本体と、前記本体の前面板の上部に固定され、かつ、ＦＰＣＢが過ぎる中央部を回避して、その左右両側に各々備えられて固定され、上下方向に沿って形成されたガイドレールを備えた一対のガイドプレートと、前記本体に対して前側に位置するカバーと、前記カバーの後面板に固定された状態で前記ガイドレールに上下方向スライディング可能に結合されて、前記ガイドレールと共に前記カバーを前記本体に対してスライディング可能に結合させるスライディング片とを含むことをその技術的構成上の特徴とする。
【００１９】
ここで、前記ガイドレールは、ガイドプレートの左右両端部に各々備えられて、互いに対向する内側に上下方向のガイド溝を有し、前記スライディング片は、前記ガイド溝にスライディング可能に挟まれることを特徴とすることができる。
【００２０】
また、前記スライディング片は、前記カバーの後面板に一体で形成されたことを特徴とすることができる。
【００２１】
また、前記カバーの後面板には前記ガイドレールが挿入された状態で上下方向に移動可能に切り欠けられた切欠部が備えられ、前記スライディング片は前記切欠部の側端に沿って形成されたことを特徴とすることができる。
【００２２】
また、前記切欠部は、前記ガイドレールが下側から挿入できるように前記カバーの後面板の下部の端部から形成され、前記切欠部の前側を横切り、その周辺部に両端部が結合されて切欠部による離隔を維持してくれる支持片が更に備えられることを特徴とすることができる。
【００２３】
また、前記ガイドプレート及びカバーの後面板は金属材質であることを特徴とすることができる。
【００２４】
また、前記本体の前面板は、中央の上部にＦＰＣＢが貫通するＦＰＣＢ用出口を備え、前記カバーの後面板は、中央の下部にＦＰＣＢが貫通するＦＰＣＢ用入口を備え、かつ、前記ＦＰＣＢ用入口とＦＰＣＢ用出口とは、前記カバーが本体に対して完全に開いた状態で一部交差して連通されることを特徴とすることができる。
【００２５】
前記本体の前面板には、前記ガイドプレートが安着する安着溝が形成されることを特徴とすることができる。
【００２６】
また、前記ガイドプレートとカバーの後面板との間に設けられて、前記カバーの開閉時、遷移点を過ぎない距離以内では前記カバーが閉じる方向に力を提供し、遷移点を過ぎた距離からは前記カバーが開く方向に力を提供する一対の弾性手段が更に備えられることを特徴とすることができる。
【００２７】
また、前記弾性手段は、前記ガイドプレート及びカバーの後面板に両端部が各々結合されたトーションスプリングであることを特徴とすることができる。
【発明の効果】
【００２８】
以上、説明したように、本発明による分割されたヒンジ構造を有する単方向スライドオープンタイプ携帯端末機は、分割されたガイドプレートとスライディング片とが一体化したカバー後面板の調和している構成により構造的安定性をなすようになっており、カバーの開閉時に震えや流動が殆ど無く安定したスライディング動作が可能である。
【００２９】
また、本発明は、カバー後面板の一体化構成のように、不要な構成要素を最大限排除して、製品のスリム化を具現することに有利である。
【００３０】
また、本発明は、左右に分割されたガイドプレートにより中央部を過ぎるＦＰＣＢに対する干渉を殆ど完全に排除できるようになっており、ＦＰＣＢが酷い折り曲げにより損傷を受けることを防止することができる。
【００３１】
また、本発明は、ＦＰＣＢが干渉無しに、より自由な動きを有することができるようになっており、カバーの上下開閉距離も増やすことができる。
【００３２】
また、本発明は、左右に分割されたガイドプレートにより、一層多い箇所で本体とカバーのスライディング可能な結合をなすことで、カバーの開閉時より安定したスライディング動作を具現することができる。
【発明を実施するための最良の形態】
【００３３】
以下、前記のような本発明の技術的思想に係る実施形態を添付した図面を参照しつつ具体的に説明すれば、次の通りである。
【００３４】
図５及び図６は、本発明による携帯端末機の開閉状態を示す使用状態図である。
【００３５】
図示したように、本発明の携帯端末機は、左右幅が上下幅より広く形成され、カバー２００が本体１００に対して上下方向（単方向）に引き戸式に開閉できるように構成された単方向スライドオープンタイプの携帯端末機である。本発明の外形を見れば、カバー２００の前面にスクリーン２１０と通話及び簡単な文字メッセージ伝送のための別名３×４キーパッドを含む常時露出キーパッド群２２０とが設けられる。そして、本体１００の全面の下部には、カバー２００を開ける際に表れながら本格的な文字入力が可能である多数の入力キー１１１からなるメーンキーパッド１１０が設けられる。前記メーンキーパッド１１０には別名クァーティキーパッド（qwerty  key pad）が含まれる。
【００３６】
このように、本発明は外形的には従来の単方向スライドオープンタイプ携帯端末機と似ているので、類似しているように見えることができる。しかしながら、その内部を見れば、中央部を回避して左右に分割配置された構造と、カバー２００の前面板と一体で統合された構造との絶妙な組合せによりなされた独特のヒンジ構造による製品のスリム化を基本前提にして、かつ、カバー２００の開閉時に震えや流動のない安定したスライディング動作が可能であると共に、ＦＰＣＢ（Flexible Printed Circuits Board：軟性回路基板）が干渉を殆ど受けないで自然な動きが可能であるので、ＦＰＣＢの損傷問題を解消した製品を具現することになる。
【００３７】
以下、本発明による分割されたヒンジ構造を有する単方向スライドオープンタイプ携帯端末機の構成を説明する。
【００３８】
図７は本発明に係るヒンジ構造を説明するための分解斜視図であり、図８は本発明に係るカバー後面板の平面図であり、図９はカバーが閉じた状態の本発明に係るヒンジ構造を示す参照斜視図であり、図１０は図９のＩ−Ｉ’間の断面図であり、図１１はカバーが開いた状態の本発明に係るヒンジ構造を示す参照斜視図であり、図１２及び図１３は各々カバーが閉じた状態と開いた状態とを説明するための参照断面図である。
【００３９】
図示したように、本発明は、カバー２００のスライディング開閉のために必須的に備えられるガイドプレート３００が左右片に掛けて長く１つで構成される代わりに、分割されて左右片に各々１つずつ配置された構成をしている。本発明は、このように前記ガイドプレート３００が左右に分割配置された構成により中央部をＦＰＣＢ専用に割愛できる遊休空間として確保することが可能である。従って、本体１００とカバー２００とを連結しながら中央部を過ぎるＦＰＣＢ（Flexible Printed Circuits Board：軟性回路基板）に対する干渉を完全に除去することができる。また、前記のように、分割された構成により従来には単に２ケ所のみでなされていた本体１００とカバー２００との間のスライディング結合が４ケ所でなされることになることで、本体１００とカバー２００との間に、より安定した結合をなすことになる。
【００４０】
延いては、カバー２００のスライディング開閉のために、前記ガイドプレート３００と対応して結合されていた別途の金属プレートを除去する代わりに、これをカバー２００の後面板２００Ａと一体で統合した構成により別途のプレートの具備による構造的不安定と厚み増加の要因とを完全に除去できることになる。
【００４１】
本発明は、前記のような技術的概念により製品のスリム化を維持しながらもカバー２００の開閉時に構造的な問題により発生されていた震え及び流動問題を解消すると共に、ＦＰＣＢの損傷を減らすことができるのである。
【００４２】
本発明の携帯端末機を全体的に見れば、本体１００、カバー２００、分割された一対のガイドプレート３００、及び前記ガイドプレート３００に割り当てられた一対の弾性手段であるトーションスプリング３３０を含み、この中で、前記本体１００の前面板１００Ａ、カバー２００の後面板２００Ａ、ガイドプレート３００、及びトーションスプリング３３０は、カバー２００のスライディング開閉のためのヒンジ構造をなす。下記に、前記ヒンジ構造を中心として各々の構成要素の構成を詳細に説明する。
【００４３】
まず、前記ガイドプレート３００は、前記本体１００の前面板１００Ａの上部に設けられた安着溝１２０に安着して固定される。この際、前記ガイドプレート３００は分割されて２つが一対で備えられ、各々ＦＰＣＢが過ぎる中央部を回避して、その左右両側に１つずつ配置される。前記ガイドプレート３００は、左右両端部３１０に各々上下方向に長く形成されたガイドレール３２０を備える。このために、前記ガイドプレート３００の両端部３１０は、図１０の詳細部位が参照できるように、前記ガイドレール３２０が挟まれて固定できるように、前面内側に折れた“コの字型”で形成される。一方、前記ガイドレール３２０は、互いに対向する内側に上下方向のガイド溝３２１を備える。このような前記ガイド溝３２１にはスライディング片２４０がスライディング可能に挟まれる。
【００４４】
このように、前記ガイドプレート３００が左右片に分割されて配置された形態で備えられれば、前述したように、中央部をＦＰＣＢ専用の遊休空間として確保することができる。従って、中央部を過ぎるＦＰＣＢに対して存在したガイドプレート３００による干渉現象を完全に除去できることになる。これで、ＦＰＣＢがガイドプレート３００の干渉により酷く折り曲げられる現象が防止できることになる。勿論、前記ＦＰＣＢは軟性であるため、折り曲げられても容易に損傷することはない。しかしながら、カバー２００が数えきれない程開閉される携帯端末機の特性上、ＦＰＣＢが酷く折り曲げられることを繰り返せば、長く持たなくて損傷を受けることが不回避である。本発明の場合、カバー２００の開閉時、ガイドプレート３００の干渉によりＦＰＣＢが逆交差されながら酷く折り曲げることがないので、より長い期間の間使われてもＦＰＣＢが損傷されない。これに対しては後に詳細に説明する。
【００４５】
延いては、前記ガイドプレート３００が左右に分割されれば、その左右幅が従来のプレートに比べて半分より小さく形成されるので、プレートの厚みが同じ条件で、曲げや捩れに対してよりよく耐えることができる、向上した剛性を確保することができる。併せて、前記ガイドプレート３００が左右片に分割された形態で配置されれば、ガイドレール３２０とスライディング片２４０との相互結合部位が左右４ケ所に掛かって確保される。従って、本体１００とカバー２００との間の結合がより安定的になされる。本発明において、このような構成は、カバー２００の後面板２００Ａの一体化した構成と共に調和を作り出しながら分割構造を完成してカバー２００の開閉時に発生される不要な震えや流動を減らすことに大きく寄与する構造的安定性を提供することになる。下記では、前記ガイドプレート３００と共に、構造的安定性に寄与するカバー２００の後面板２００Ａの構成に対して説明する。
【００４６】
前記カバー２００の後面板２００Ａは、カバー２００に従属して設けられ、前記本体１００に対して前側に位置する。前記後面板２００Ａには、前記ガイドレール３２０と共にカバー２００を本体１００に対してスライディング可能に結合させるスライディング片２４０が一体で形成される。このために、前記ガイドレール３２０が対応して挿入されるように切り欠けられた切欠部２３０が左右に各々２つずつ全て４個備えられ、各々の切欠部２３０の側端に沿ってスライディング片２４０が上下に長く形成される。このように、スライディング片２４０が外部に突出しないように、切欠部２３０の内側に設置されれば、スライディング片２４０による厚みの増加を防ぐことができる。前記切欠部２３０は、前記後面板２００Ａの下部の端部から上方に形成される。これは、前記ガイドレール３２０が前記後面板２００Ａの下側に挿入されて、切欠部２３０の内側の側端に位置したスライディング片２４０と結合されるようにするためである。前記ガイドレール３２０が切欠部２３０に挿入された状態でスライディング片２４０と結合されている形態は、図９及び図１０の詳細部位を通じて確認することができる。
【００４７】
このように、前記カバー２００の後面板２００Ａに切欠部２３０が形成された後、その切欠部２３０の内側の側端にスライディング片２４０が突出しないように一体で形成されれば、スライディング片を有する別途のプレートを必要としないようになる。従って、別途の構成要素の追加による製品の厚みの増加を根本的に防ぐことができる。そして、従来のように別途のプレートがカバーに結合されていた方式に比べて構造的にはるかに硬くなり、カバー２００の開閉時に震えや流動の無い安定したスライディング動作が可能になる。即ち、従来のスライディング片を有する別途のプレートの場合には、製品全体の厚みの増加が憂慮されて厚みの薄い金属板で備えられなければならないが、この際、カバーの後面板に形成されたＦＰＣＢの入口を遮る関係で、ＦＰＢＣが貫通する貫通孔を金属板自体に広く形成させることが不回避である。このように、薄い金属板に広い貫通孔を形成させるので、プレートの剛性が弱くなる結果をもたらさざるを得ない。更に、前記別途のプレートは、基本的に左右幅が広く形成されたので、剛性をより弱化させて問題を悪化させる原因となる。このように、従来にスライディング片を設けるために、別途に備えられる前記プレートの場合、剛性が弱くならざるを得ないようにする避けられない複合的な要因が内在されている。これは、直ちにカバーの開閉時の震えや流動に繋がり、スライディング動作が不安定となる主な原因となる。しかしながら、本発明の場合、前述したように、スライディング片２４０を有するカバー２００後面板２００Ａの一体型構成により、別途のプレートを備えることによる問題が完全に解消できるようになる。
【００４８】
前記カバー２００の後面板２００Ａの構成を更に説明すれば、前記切欠部２３０による離隔空間を安定的に維持しながら切欠部２３０により発生する虞がある構造的脆弱さを補強する役割のために支持片２５０を備える。このために、前記支持片２５０は、前記切欠部２３０を横切りその周辺部を支持することになる。前記支持片２５０は、前記切欠部２３０の上下長さに合うように適切な個数で備えられ、図面によれば、１つの切欠部２３０に対して下部端部と中間に１つずつ２つが備えられたことが分かる。
【００４９】
前記カバー２００の後面板２００Ａは、前記ガイドレール３２０を含むガイドプレート３００と同種の金属材質であることが好ましい。これは、カバー２００が開閉される際、ガイドプレート３００とカバー２００の後面板２００Ａとの間に絶えず発生する摩擦に耐える一方、安定した支持のために一定以上の剛性を確保しなければならないためである。勿論、前記カバー２００の後面板２００Ａの材質は金属のみに制限されるのではない。金属より軽くて、薄い厚みでも、必要とする充分の剛性が確保できる材質であれば、価格的要素を考慮してそれを採択することが好ましいためである。
【００５０】
前記カバー２００の後面板２００Ａは、中央の下部にＦＰＣＢが貫通するＦＰＣＢ用入口２６０を備える。単に、前記ＦＰＣＢ用入口２６０は、図１１のように、カバー２００が本体１００に対して完全に開いた状態で本体１００の前面板１００ＡのＦＰＣＢ用出口１６０と完全にずれなくて、一部が交差して連通できる位の上下幅を有するように形成される。このように、前記ＦＰＣＢ用出口１６０とＦＰＣＢ用入口２６０とが互いに交差して連通することが可能である理由は、従来とは異なり、本体１００の前面板１００Ａとカバー２００の後面板２００Ａとの間の中央部を防ぐどんなものも設置されていないためである。このような構成によれば、カバー２００が開閉される際、本体１００とカバー２００とを連結するＦＰＣＢが干渉無しに、より自由な動きを有することになり折り曲げられることが最小化できることになる。これに対して、図１２と図１３を参照して説明すれば、次の通りである。
【００５１】
図１２の場合、カバー２００が閉じた時の状態である。カバー２００が完全に閉じている状態で、ＦＰＣＢ用出口１６０と入口２６０が互いに完全にずれてあるとはあるが、ＦＰＣＢが過ぎるＦＰＣＢ用出口１６０、入口２６０またはその間の通路を何も遮ったり干渉したりしていないので、ＦＰＣＢが非常に自然に一部折り曲げられている。
【００５２】
以後、図１３を参照して分かるように、カバー２００が完全に開けることになれば、前記ＦＰＣＢ用出口１６０とＦＰＣＢ用入口２６０とが互いに交差して連通した状態となる。このように、カバー２００が開いてもＦＰＣＢ用出口１６０とＦＰＣＢ用入口２６０とが互いに連通した状態になりながらＦＰＣＢが初めより酷く変形されて巻かれたり折り曲げられたりした状態にならない。従って、長期間に亘りカバー２００が絶え間なく反復開閉されてもＦＰＣＢの損傷は殆どない。
【００５３】
このように、本発明は、ＦＰＣＢがカバー２００の開閉時に干渉無しに、より自由な動きを有することになり、ＦＰＣＢの損傷は最小化しながらカバー２００の上下開閉距離も増やすことができる余裕を有するようになる。
【００５４】
前記本体１００の前面板１００Ａは、本体１００に従属して左右幅が上下幅より広い形態を有する。前記前面板１００Ａの下部にはＱＷＥＲＴＹキーパッドをなす入力キー１１１を前面に突出させるための多数のキーホール１１２が形成され、中央の上部にはＦＰＣＢが貫通して出入されるＦＰＣＢ用出口１６０を備える。前記前面板１００Ａの上部の左右片にはガイドプレート３００が安着する安着溝１２０が形成される。このような前記安着溝１２０は、ガイドプレート３００を安定するように固定すると共に、ガイドプレート３００が前側に突出することを最小化してガイドプレート３００による厚みの増加を最小化する役割をする。
【００５５】
前記弾性手段であるトーションスプリング３３０は、前記ガイドプレート３００とカバー２００の後面板２００Ａとの間に位置する。前記トーションスプリング３３０の両端部の１つである３３０Ａは、前記ガイドプレート３００に、残りの１つである３３０Ｂは前記カバー２００の後面板２００Ａに結合される。これで、前記トーションスプリング３３０は、前記カバー２００の開閉時に遷移点を過ぎない距離以内では、前記カバー２００が閉じる方向に力を提供し、遷移点を過ぎた距離からは前記カバー２００が開く方向に力を提供することになる。これで、カバー２００の半自動開閉がなされる。ここで、前記トーションスプリング３３０は、前記ガイドプレート３１０とカバー２００の後面板２００Ａとの間に設けられて前後空間を少なく占める面で有利であるので、本発明で採択されれば好ましい。しかしながら、本発明の弾性手段としてトーションスプリング３３０のみに制限されなくて、多様な形態のスプリングが使用できることは勿論である。
【００５６】
以上、本発明の好ましい実施形態を説明したが、本発明は多様な変化と変更及び均等物を使用することができる。本発明は、前記実施形態を適切に変形して同一に応用できることが明確である。従って、前記記載内容は下記の特許請求範囲の限界により定まる本発明の範囲を限定するのでない。
【図面の簡単な説明】
【００５７】
【図１】従来技術による単方向オープンタイプ携帯端末機を説明するための参照図である。
【図２】従来技術による携帯端末機のカバー開閉時のＦＰＣＢの状態を説明するための参照断面図である。
【図３】従来技術による携帯端末機のカバー開閉時のＦＰＣＢの状態を説明するための参照断面図である。
【図４】従来技術による携帯端末機のカバー開閉時のＦＰＣＢの状態を説明するための参照断面図である。
【図５】本発明による携帯端末機の開閉状態を示す使用状態図である。
【図６】本発明による携帯端末機の開閉状態を示す使用状態図である。
【図７】本発明に係るヒンジ構造を説明するための分解斜視図である。
【図８】本発明に係るカバー後面板の平面図である。
【図９】カバーが閉じた状態の本発明に係るヒンジ構造を示す参照斜視図である。
【図１０】図９のＩ−Ｉ’間の断面図である。
【図１１】カバーが開いた状態の本発明に係るヒンジ構造を示す参照斜視図である。
【図１２】本発明のための携帯端末機のカバー開閉時におけるＦＰＣＢの状態を説明するための参照断面図である。
【図１３】本発明のための携帯端末機のカバー開閉時におけるＦＰＣＢの状態を説明するための参照断面図である。
【符号の説明】
【００５８】
１００    本体
１００Ａ    本体の前面板
１２０    安着溝
２００    カバー
２００Ａ    カバーの後面板
２３０    切欠部
２４０    スライディング片
２５０    支持片
３００    ガイドプレート
３２０    ガイドレール
３２１    ガイド溝
３３０    トーションスプリング
【図１】
2008154168.tif 000003
【図２】
2008154168.tif 000004
【図３】
2008154168.tif 000005
【図４】
2008154168.tif 000006
【図５】
2008154168.tif 000007
【図６】
2008154168.tif 000008
【図７】
2008154168.tif 000009
【図８】
2008154168.tif 000010
【図９】
2008154168.tif 000011
【図１０】
2008154168.tif 000012
【図１１】
2008154168.tif 000013
【図１２】
2008154168.tif 000014
【図１３】
2008154168.tif 000015